(57)【特許請求の範囲】
【請求項１】
ドアまたは車体のいずれか一方に設けられ、前記ドアまたは前記車体のいずれか他方に設けられるストライカが前記ドアの閉移動に伴って進入するストライカ進入溝が、片面に形成されたボディと、
進入した前記ストライカに噛合してオープン位置からラッチ位置に回転可能なラッチと、
前記ラッチの回転に連動して、前記ラッチ位置にある前記ラッチに係合可能な係合位置へと前記ラッチとの係合が解除されるリリース位置から回転して前記ラッチに係合することで前記ドアを閉位置に拘束するポールと、
前記ドアまたは前記車体に設けられたハンドルの開操作に基づいて、解除位置から待機位置へ回転することにより、連動する前記ポールを前記リリース位置から前記係合位置へ回転させるレバーと、
前記レバーを前記解除位置から前記待機位置に回転するように付勢するスプリングと、
前記ボディの前記ストライカ進入溝が形成された面に組み付けられるカバープレートと、
前記カバープレートと前記ボディを介装して固定されるバックプレートと、を備え、
前記レバーは、軸孔を有し、
前記ボディは、前記スプリングを収容するスプリング収容部と、前記レバーの前記軸孔を挿通されて前記レバーを回転可能に支持する先端が十字突起の突起枢軸と、を有し、
前記バックプレートは、前記十字突起を挿入される十字孔を有することを特徴とする車両用ドアラッチ装置。
【請求項２】
前記レバーは、前記ドアに設けられ前記車体の外部から前記ドアを開けるアウトサイドハンドルの開操作に基づいて、前記解除位置から前記待機位置に回転するアウトサイドレバーであることを特徴とする請求項１に記載の車両用ドアラッチ装置。
【請求項３】
前記レバーは、前記ボディの前記突起枢軸に挿通される軸孔を有する第１レバーと、前記ボディの前記突起枢軸に前記第１レバーに挿通される軸孔を有する第２レバーとの２分割構造であることを特徴とする請求項１又は２に記載の車両用ドアラッチ装置。
【請求項４】
前記ボディは、前記スプリングの一端を掛止する被掛止部と、前記待機位置の前記レバーと当接する突部とを有し、
前記スプリングは、一端が前記ボディの前記被掛止部に掛止され、かつ他端が前記ボディの前記突部に当接された状態として組み付けられ、
前記レバーは、前記レバーの前記軸孔を前記ボディの前記突起枢軸に挿通し、前記レバーの前記ボディ側の面が前記ボディの前記突部に当接した仮組状態とされ、
前記レバーを前記ボディ側に押圧しながら前記スプリングの付勢力に逆らう方向に回転させ、前記レバーを前記スプリングの前記他端と前記ボディの前記突部との間に狭入されて組み付けられることを特徴とする請求項１〜３のいずれか１つに記載の車両用ドアラッチ装置。
【請求項５】
ドアまたは車体のいずれか一方に設けられ、前記ドアまたは前記車体のいずれか他方に設けられるストライカが前記ドアの閉移動に伴って進入するストライカ進入溝が、片面に形成されたボディと、
進入した前記ストライカに噛合してオープン位置からラッチ位置に回転可能なラッチと、
前記ラッチの回転に連動して、前記ラッチ位置にある前記ラッチに係合可能な係合位置へと前記ラッチとの係合が解除されるリリース位置から回転して前記ラッチに係合することで前記ドアを閉位置に拘束するポールと、
前記ドアまたは前記車体に設けられたハンドルの開操作に基づいて、解除位置から待機位置へ回転することにより、連動する前記ポールを前記リリース位置から前記係合位置へ回転させるレバーと、
前記レバーを前記解除位置から前記待機位置に回転するように付勢するスプリングと、
前記ボディの前記ストライカ進入溝が形成された面に組み付けられるカバープレートと、
前記カバープレートと前記ボディを介装して固定されるバックプレートと、を備え、
前記レバーは、軸孔を有し、
前記ボディは、前記スプリングを収容するスプリング収容部と、前記レバーの前記軸孔を挿通されて前記レバーを回転可能に支持する先端が十字突起の突起枢軸と、前記スプリングの一端を掛止する被掛止部と、前記待機位置の前記レバーと当接する突部とを有し、
前記バックプレートは、前記十字突起を挿入される十字孔を有する車両用ドアラッチ装置の組付方法であって、
前記スプリングの一端を前記被掛止部に掛止し、かつ前記スプリングの他端を前記ボディの前記突部に当接した状態とするスプリング組付工程と、
前記レバーの前記軸孔を前記ボディの前記突起枢軸に挿通し、前記レバーの前記ボディ側の面が前記ボディの前記突部に当接した状態とするレバー仮組工程と、
前記レバーを前記ボディ側に押圧しながら前記スプリングの付勢力に逆らう方向に回転させ、前記レバーを前記スプリングの前記他端と前記ボディの前記突部との間に狭入するレバー組付工程とを備えることを特徴とする車両用ドアラッチ装置の組立方法。
【請求項６】
請求項５に記載の車両用ドアラッチ装置の組立方法を用いて製造されたことを特徴とする車両用ドアラッチ装置。
【発明の詳細な説明】
【技術分野】
【０００１】
本発明は、車両用ドアラッチ装置および車両用ドアラッチ装置の組立方法に関するものである。
【背景技術】
【０００２】
車両用のドアラッチ装置の中には、ドアに固定される合成樹脂製のボディ、およびボディ内に収容され車体側のストライカに係合可能なラッチ、ラッチに係合可能なポール等の噛合機構を備える噛合部アッセンブリと、上記ボディの裏側に固定される合成樹脂製のケーシング、およびケーシング内に組み付けられ、噛合機構を操作することにより、ドアをロック状態とアンロック状態とに切り替え可能な操作機構を備える操作部アッセンブリとを一体化したものがある（たとえば特許文献１、２参照）。さらに、このような車両用ドアラッチ装置は、ドアに設けられたハンドルの開操作に基づいてポールを回転させ、ラッチとポールとの係合を解除するレバーを備える。
【先行技術文献】
【特許文献】
【０００３】
【特許文献１】特許第４７６５１２３号公報
【特許文献２】特開２０１２−２３３３１８号公報
【発明の概要】
【発明が解決しようとする課題】
【０００４】
近年においては、ドアラッチ装置の組立効率を向上させるために自動組立てが行われており、さらなる組立効率の向上が求められている。従来、ドアの車外側に設けられたアウトサイドハンドルの開操作に基づいて、ラッチとポールとの係合を解除するアウトサイドレバーは、操作部アッセンブリのケーシングにねじ止めにより回転可能に固定されていた。その結果、アウトサイドレバーを組み付けるためにねじ止めする工程が必要であり、組立効率が低下するという課題がある。
【０００５】
本発明は、上記に鑑みてなされたものであって、組立効率が向上した車両用ドアラッチ装置および車両用ドアラッチ装置の組立方法を提供することを目的とする。
【課題を解決するための手段】
【０００６】
上述した課題を解決し、目的を達成するために、本発明の一態様に係る車両用ドアラッチ装置は、ドアまたは車体のいずれか一方に設けられ、前記ドアまたは前記車体のいずれか他方に設けられるストライカが前記ドアの閉移動に伴って進入するストライカ進入溝が、片面に形成されたボディと、進入した前記ストライカに噛合してオープン位置からラッチ位置に回転可能なラッチと、前記ラッチの回転に連動して、前記ラッチ位置にある前記ラッチに係合可能な係合位置へと前記ラッチとの係合が解除されるリリース位置から回転して前記ラッチに係合することで前記ドアを閉位置に拘束するポールと、前記ドアまたは前記車体に設けられたハンドルの開操作に基づいて、解除位置から待機位置へ回転することにより、連動する前記ポールを前記リリース位置から前記係合位置へ回転させるレバーと、前記レバーを前記解除位置から前記待機位置に回転するように付勢するスプリングと、を備え、前記レバーは、軸孔を有し、前記ボディは、前記スプリングを収容するスプリング収容部と、前記レバーの前記軸孔を挿通されて前記レバーを回転可能に支持する枢軸と、を有することを特徴とする。
【０００７】
本発明の一態様に係る車両用ドアラッチ装置は、前記レバーは、前記ドアに設けられ前記車体の外部から前記ドアを開けるアウトサイドハンドルの開操作に基づいて、前記解除位置から前記待機位置に回転するアウトサイドレバーであることを特徴とする。
【０００８】
本発明の一態様に係る車両用ドアラッチ装置は、前記ボディの前記ストライカ進入溝が形成された面に組み付けられるカバープレートと、前記カバープレートと前記ボディを介装して固定されるバックプレートと、を備えることを特徴とする。
【０００９】
本発明の一態様に係る車両用ドアラッチ装置は、前記ボディの前記枢軸の先端は十字突起であり、前記バックプレートは、前記十字突起を挿入される十字孔を有することを特徴とする。
【００１０】
本発明の一態様に係る車両用ドアラッチ装置は、前記レバーは、前記ボディの前記枢軸に挿通される軸孔を有する第１レバーと、前記ボディの前記枢軸に前記第１レバーに挿通される軸孔を有する第２レバーとの２分割構造であることを特徴とする。
【００１１】
本発明の一態様に係る車両用ドアラッチ装置は、前記ボディは、前記スプリングの一端を掛止する被掛止部と、前記待機位置の前記レバーと当接する突部とを有し、前記スプリングは、一端が前記ボディの前記被掛止部に掛止され、かつ他端が前記ボディの前記突部に当接された状態として組み付けられ、前記レバーは、前記レバーの前記軸孔を前記ボディの前記枢軸に挿通し、前記レバーの前記ボディ側の面が前記ボディの前記突部に当接した仮組状態とされ、前記レバーを前記ボディ側に押圧しながら前記スプリングの付勢力に逆らう方向に回転させ、前記レバーを前記スプリングの前記他端と前記ボディの前記突部との間に狭入されて組み付けられることを特徴とする。
【００１２】
本発明の一態様に係る車両用ドアラッチ装置の組立方法は、ドアまたは車体のいずれか一方に設けられ、前記ドアまたは前記車体のいずれか他方に設けられるストライカが前記ドアの閉移動に伴って進入するストライカ進入溝が、片面に形成されたボディと、進入した前記ストライカに噛合してオープン位置からラッチ位置に回転可能なラッチと、前記ラッチの回転に連動して、前記ラッチ位置にある前記ラッチに係合可能な係合位置へと前記ラッチとの係合が解除されるリリース位置から回転して前記ラッチに係合することで前記ドアを閉位置に拘束するポールと、前記ドアまたは前記車体に設けられたハンドルの開操作に基づいて、解除位置から待機位置へ回転することにより、連動する前記ポールを前記リリース位置から前記係合位置へ回転させるレバーと、前記レバーを前記解除位置から前記待機位置に回転するように付勢するスプリングと、を備え、前記レバーは、軸孔を有し、前記ボディは、前記スプリングを収容するスプリング収容部と、前記レバーの前記軸孔を挿通されて前記レバーを回転可能に支持する枢軸と、前記スプリングの一端を掛止する被掛止部と、前記待機位置の前記レバーと当接する突部とを有する車両用ドアラッチ装置の組付方法であって、前記スプリングの一端を前記被掛止部に掛止し、かつ前記スプリングの他端を前記ボディの前記突部に当接した状態とするスプリング組付工程と、前記レバーの前記軸孔を前記ボディの前記枢軸に挿通し、前記レバーの前記ボディ側の面が前記ボディの前記突部に当接した状態とするレバー仮組工程と、前記レバーを前記ボディ側に押圧しながら前記スプリングの付勢力に逆らう方向に回転させ、前記レバーを前記スプリングの前記他端と前記ボディの前記突部との間に狭入するレバー組付工程とを備えることを特徴とする。
【００１３】
本発明の一態様に係る車両用ドアラッチ装置は、上述した車両用ドアラッチ装置の組立方法を用いて製造されたことを特徴とする。
【発明の効果】
【００１４】
本発明によれば、組立効率が向上した車両用ドアラッチ装置および車両用ドアラッチ装置の組立方法を実現することができる。
【図面の簡単な説明】
【００１５】
【図１】図１は、本発明の実施の形態に係る車両用ドアラッチ装置の斜視図である。
【図２】図２は、図１に示す車両用ドアラッチ装置の噛合部アッセンブリの斜視図である。
【図３】図３は、図２に示す噛合部アッセンブリの構成を示す分解斜視図である。
【図４】図４は、図２に示す噛合部アッセンブリのボディの前面側を下方側から視た斜視図である。
【図５】図５は、図２に示す噛合部アッセンブリの内部構成を示す前面側を下方側から視た斜視図である。
【図６】図６は、図２に示す噛合部アッセンブリの内部構成を示す後面図である。
【図７】図７は、図２に示す噛合部アッセンブリの第１レバーと第２レバーとの位置関係を示す前面図である。
【図８】図８は、図１に示す車両用ドアラッチ装置の操作部アッセンブリの構成を示す分解斜視図である。
【図９】図９は、図８に示す操作部アッセンブリのロック状態の動作を説明するための図である。
【図１０】図１０は、図８に示す操作部アッセンブリのアンロック状態の動作を説明するための図である。
【図１１】図１１は、図２に示す噛合部アッセンブリの組立工程を説明するための図である。
【図１２】図１２は、図２に示す噛合部アッセンブリの組立工程を説明するための図である。
【図１３】図１３は、図２に示す噛合部アッセンブリの組立工程を説明するための図である。
【発明を実施するための形態】
【００１６】
以下に、図面を参照して本発明に係る車両用ドアラッチ装置および車両用ドアラッチ装置の組立方法の実施の形態を説明する。なお、この実施の形態によりこの発明が限定されるものではない。また、図面の記載において、同一または対応する要素には適宜同一の符号を付している。
【００１７】
（実施の形態）
以下、本実施の形態の車両用ドアラッチ装置を図１〜図１３に基づいて説明する。図１は、本発明の実施の形態に係る車両用ドアラッチ装置の斜視図である。なお、以下の説明では、ドアラッチ装置１００を車両に取り付けた状態において、図１中の左方を「車内側（Ｉ）」、右方を「車外側（Ｏ）」、上方を「上方（Ｕ）」、下方を「下方（Ｄ）」、図面奥側を「前方（Ｆ）」、図面手前側を「後方（Ｒ）」として説明する。これらの方向の定義は説明の便宜上のものであり、ドアラッチ装置１００の向きは、その取付車種や取付位置等によって変化することは勿論である。
【００１８】
本実施の形態のドアラッチ装置１００は、自動車の右側のフロントサイドドア（以下ドアと略称する）内の後端部に取り付けられるもので、車体側のストライカに係合することにより、ドアを閉扉状態に保持するための噛合部アッセンブリ２００を、噛合部アッセンブリ２００を操作するための操作部アッセンブリ３００に組み付けて、噛合部アッセンブリ２００と操作部アッセンブリ３００とを一体化することによって構成されている。
【００１９】
まず、噛合部アッセンブリ２００の構成を説明する。図２は、図１に示す車両用ドアラッチ装置の噛合部アッセンブリの斜視図である。図３は、図２に示す噛合部アッセンブリの構成を示す分解斜視図である。
【００２０】
図３に示すように、噛合部アッセンブリ２００は、ボディ２０１と、ボディ２０１の後方側に固定されるカバープレート２０２と、ボディ２０１の前方側に固定されるバックプレート２０３と、後方側から挿通されるラッチ軸２０４と、ラッチ軸２０４に回転可能に支持されるラッチ２０５と、ラッチ２０５に係合することでドアを閉位置に拘束するポール２０６と、ラッチ２０５とポール２０６との係合を解除するレバーとしてのアウトサイドレバー２０７と、進入したストライカおよびポール２０６と当接するバンパラバー２０８とを備える。
【００２１】
つぎに、噛合部アッセンブリ２００の各部材について詳細に説明する。
【００２２】
ボディ２０１は、たとえば合成樹脂からなり、車体に設けられたストライカがドアの閉移動に伴って進入するストライカ進入溝２０１ａが、片面（後方側）に形成されている。
【００２３】
図４は、図２に示す噛合部アッセンブリのボディの前面側を下方側から視た斜視図である。図４に示すように、ボディ２０１は、紙面手前側である前方側に突出し、先端が十字突起である枢軸２０１ｂを有する。また、ボディ２０１は、枢軸２０１ｂの外周に枢軸２０１ｂを取り囲むように形成されたスプリング収容部２０１ｃを有する。
【００２４】
図３に戻り、カバープレート２０２は、たとえば各種の金属からなり、ストライカが進入可能な切欠部２０２ａを有し、ボディ２０１のストライカ進入溝２０１ａが形成された後方側の面に組み付けられる。
【００２５】
バックプレート２０３は、たとえば各種の金属からなり、カバープレート２０２と、ボディ２０１を介装してラッチ軸２０４とボルトＶ１とにより固定される。その結果、噛合部アッセンブリ２００が一体化される。また、バックプレート２０３は、ボディ２０１の枢軸２０１ｂの先端に形成された十字突起を挿入される十字孔２０３ａを有する。
【００２６】
ラッチ軸２０４は、カバープレート２０２の軸孔２０２ｂ、ラッチ２０５の軸孔２０５ａ、およびボディ２０１の軸孔２０１ｄを後方側からこの順に貫通し、先端部の小径軸部２０４ａがバックプレート２０３の軸孔２０３ｂに実質的に回転不能に圧入される。
【００２７】
ラッチ２０５は、ラッチ軸２０４に枢支されてボディ２０１における後方側の内部に収容され、進入したストライカに噛合してオープン位置からラッチ位置にラッチ軸２０４の軸回りに回転する。また、ラッチ２０５は、前方側に突出した係合部２０５ｂを有する。
【００２８】
図５は、図２に示す噛合部アッセンブリの内部構成を示す前面側を下方側から視た斜視図である。図５は、ラッチ位置にあるラッチ２０５を図示している。ラッチ２０５は、図５に示すように係合部２０５ｂがスプリング２０９と係合することにより、ラッチ位置からオープン位置（図５において反時計回りの方向）に回転するように付勢されている。
【００２９】
図３に戻り、ポール２０６は、ボディ２０１に形成されたポール組付孔２０１ｅに組付けられる。さらに、ポール２０６は、前部の軸部２０６ａがバックプレート２０３の軸孔２０３ｃに、後部の軸部２０６ｂがカバープレート２０２の軸孔２０２ｃに挿通され、回動可能に枢支される。
【００３０】
つぎに、図５は、係合位置にあるポール２０６を図示している。ポール２０６は、スプリング２１０によりラッチ位置にあるラッチ２０５に係合可能な係合位置の方向へ、ラッチ２０５との係合が解除されるリリース位置から回転するように付勢される。すなわち、ポール２０６は、図５において時計回りの方向に付勢されている。
【００３１】
さらに、ポール２０６は、ドアに設けられたハンドルの開操作に基づいて、後述する操作部アッセンブリ３００のリリース部材３０２が当接してポール２０６を係合位置からリリース位置に回転させることによりラッチ２０５との係合を解除するレバーとしてのリリースレバー２０６ｃを有する。
【００３２】
図６は、図２に示す噛合部アッセンブリの内部構成を示す後面図である。図６は、係合位置にあるポール２０６を図示している。ポール２０６は反時計回りの方向に付勢されている。その結果、ポール２０６は、ラッチ２０５の回転に連動して係合位置からリリース位置に回転し、付勢力によりリリース位置から係合位置に回転してラッチ２０５に係合することでドアを閉位置に拘束する。また、ポール２０６は、ストライカＳに噛合したラッチ２０５と係合可能な係合部２０６ｄを有する。
【００３３】
図３に戻り、アウトサイドレバー２０７は、ボディ２０１の枢軸２０１ｂに挿通される軸孔２０７ａａを有する第１レバー２０７ａと、この第１レバー２０７ａの前方側に重合し、ボディ２０１の枢軸２０１ｂに挿通される軸孔２０７ｂａを有する第２レバー２０７ｂとの２分割構造となっている。そして、第１レバー２０７ａと第２レバー２０７ｂとは、それぞれラッチ軸２０４と平行をなすようにボディ２０１に前向きに一体形成した枢軸２０１ｂがバックプレート２０３の十字孔２０３ａに挿入されることにより、枢軸２０１ｂに回転可能に支持される。
【００３４】
第１レバー２０７ａは、図５に示すように、スプリング２１１によって、解除位置から待機位置（図５において時計回りの方向）に回転するように付勢されている。
【００３５】
図７は、図２に示す噛合部アッセンブリの第１レバーと第２レバーとの位置関係を示す前面図である。図７に示すように、第２レバー２０７ｂは、スプリング２１１によって、解除位置から待機位置（図７において時計回りの方向）に回転するように付勢されている。
【００３６】
第１レバー２０７ａと第２レバー２０７ｂとは、第２レバー２０７ｂの車内側に突出した爪状の係合部２０７ｂｂが第１レバー２０７ａの前後方向に延伸する係合部２０７ａｂの下面と当接することにより、図７に示す待機位置からリリース位置（図７において時計回りの方向）へ一体的に連動する。
【００３７】
第２レバー２０７ｂの車外側の端部は、ドアのアウタパネルに設けたアウトサイドハンドル（図示略）に、ロッド等の操作力伝達部材（図示略）を介して連結される。アウトサイドハンドルを開操作すると、第１レバー２０７ａの車内側の端部２０７ａｃに連結された後述する操作部アッセンブリ３００のリリース部材３０２を介して、ポール２０６のリリースレバー２０６ｃに開操作に基づいた入力を行い、ドアを開くことができる。
【００３８】
すなわち、アウトサイドレバー２０７は、ドアに設けられ車体の外部からドアを開けるアウトサイドハンドルの開操作に基づいて、解除位置から待機位置に回転することにより、連動するポール２０６をリリース位置から係合位置へ回転させ、ラッチ２０５とポール２０６との係合を解除させることができる。
【００３９】
図５に戻り、バンパラバー２０８は、ゴム等の弾性部材からなり、ボディ２０１に形成されたバンパラバー組付孔２０１ｆに組み付けられ、進入したストライカＳによる衝撃を吸収する。
【００４０】
スプリング２０９は、一方の端部２０９ａがボディ２０１の紙面手前側である前方側の被掛止部２０１ｇ、他方の端部２０９ｂがラッチ２０５の係合部２０５ｂにそれぞれ掛止され、ラッチ２０５を付勢する。
【００４１】
スプリング２１０は、一方の端部２１０ａがボディ２０１の被掛止部２０１ｈ、他方の端部２１０ｂがポール２０６の係合部２０６ｅにそれぞれ掛止され、ポール２０６を付勢する。
【００４２】
スプリング２１１は、スプリング収容部２０１ｃに収容され、一方の端部２１１ａがボディ２０１の被掛止部２０１ｈ、他方の端部２１１ｂが第１レバー２０７ａの係合部２０７ａｄにそれぞれ掛止され、第１レバー２０７ａおよび第２レバー２０７ｂを付勢する。
【００４３】
図３に戻り、ボルトＶ１は、ドアのインナパネルの取付孔（図示略）、カバープレート２０２の貫通孔２０２ｄ、およびボディ２０１の貫通孔２０１ｊをこの順に貫通し、バックプレート２０３のねじ孔２０３ｄに螺合される。
【００４４】
ボルトＶ２、ボルトＶ３は、ドアのインナパネルの取付孔（図示略）を貫通し、それぞれカバープレート２０２のねじ孔２０２ｅ、ねじ孔２０２ｆに螺合される。噛合部アッセンブリ２００は、これらのボルトＶ１〜ボルトＶ３により、操作部アッセンブリ３００とともにドアのインナパネルに固定される。この際、ボルトＶ１がバックプレート２０３のねじ孔２０３ｄにも螺合することにより、ボディ２０１の裏面にバックプレート２０３が固定される。
【００４５】
つぎに、噛合部アッセンブリ２００の動作を説明する。
【００４６】
はじめに、ドアを開状態から閉状態とするときの噛合部アッセンブリ２００の動作について説明する。ドアの閉操作が行われ、図６の矢印Ａ１１に示すように、ストライカＳがボディ２０１のストライカ進入溝２０１ａに進入してくると、ラッチ２０５が矢印Ａ１２のようにオープン位置から図６に図示するラッチ位置に回転する。さらに、ラッチ２０５に当接してポール２０６の係合部２０６ｄが押下され、ポール２０６が矢印Ａ１３の方向に回転する。その後、ポール２０６は、スプリング２１０により付勢された方向（図６において反時計回りの方向）に回転し、ラッチ２０５の係合部２０５ｃとポール２０６の係合部２０６ｄとが係合する。このストライカＳとラッチ２０５とが噛合し、ラッチ２０５の係合部２０５ｃとポール２０６の係合部２０６ｄとが係合した状態がドアの閉状態である。
【００４７】
つぎに、ドアを閉状態から開状態とするときの噛合部アッセンブリ２００の動作について説明する。ドアの閉状態において、ポール２０６のリリースレバー２０６ｃにハンドルの開操作に基づいた入力が行われると、図６の矢印Ａ１３に示すように、ポール２０６が係合位置からリリース位置に回転し、ラッチ２０５の係合部２０５ｃとポール２０６の係合部２０６ｄとの係合が解除される。すると、付勢力によりラッチ２０５がラッチ位置からオープン位置に回転し、ストライカＳとラッチ２０５との噛合が解除される。この状態から、さらにドアを車外方向に開扉操作するとドアが開状態となる。なお、ポール２０６は、ハンドルの開操作に基づいた入力が解除されると、スプリング２１０による付勢力によってリリース位置から係合位置に回転して戻る。
【００４８】
つぎに、操作部アッセンブリ３００の構成について説明する。操作部アッセンブリ３００は、アンロック状態にあるときには、ドアの車外側のアウトサイドハンドルまたはドアの車内側のインサイドハンドルを開操作することにより、噛合部アッセンブリ２００のラッチ２０５とストライカとの係合を解除してドアを開扉可能とし、また、ロック状態にあるときには、アウトサイドハンドルまたはインサイドハンドルを開操作しても、ドアを開扉不能とする機能を有する。
【００４９】
図８は、図１に示す車両用ドアラッチ装置の操作部アッセンブリの構成を示す分解斜視図である。図８に示すように、操作部アッセンブリ３００は、噛合部アッセンブリ２００とともに、平面視ほぼＬ字状のケーシング３０１に組み込まれる。
【００５０】
操作部アッセンブリ３００は、上述したアウトサイドレバー２０７における第１レバー２０７ａと係合するリリース部材３０２と、リリース部材３０２と係合しカムサイレンサー３０３を嵌着され、ロック位置およびアンロック位置に切り替え可能なロックレバー３０４と、リング３０５を嵌挿されたキーアクセス３０６と連動し、ロックレバー３０４をロック位置およびアンロック位置に切り替え可能なスライドレバー３０７と、ロックおよびアンロック操作用のモータ３０８と、モータ３０８の回転軸に固着されたウォーム３０８ａおよびカムサイレンサー３０３と噛み合いロックレバー３０４をロック位置およびアンロック位置に切り替え可能なウォームホイール３０９と、カプラ３１０、ラッチ２０５の位置検出を行う半ドア検出スイッチ３１１、ロックレバー３０４の位置検出を行うロック／アンロック検出スイッチ３１２、スライドレバー３０７の位置検出を行うキースイッチ３１３を連結するようにして、一体としてケーシング３０１に組み付けられるスイッチプレート３１４と、インサイドハンドルの開操作によりドアを開扉可能とするインサイドレバー３１５と、リリース部材３０２と係合するキャンセルレバー３１６とを備える。
【００５１】
そして、噛合部アッセンブリ２００および操作部アッセンブリ３００は、ケーシング３０１と、ケーシング３０１の車内側の開口部を覆い、ケーシング３０１にねじ３１７で固定される合成樹脂製のカバー部材３１８と、カバー部材３１８に車外方向から嵌着されてカプラ３１０の外周を保護するカプラクッション３１９と、上方から嵌着されてケース内への雨水等の浸入を防止するための合成樹脂製の防水カバー３２０と、カバー部材３１８の車内側側面に貼着され、車内側への雨水等の浸入を防止する防水シール３２１とによって構成されるケース内に収容される。
【００５２】
つぎに、操作部アッセンブリ３００の各部材について詳細に説明する。
【００５３】
ケーシング３０１は、たとえば合成樹脂からなり、車内側が開口された操作部アッセンブリ収容部３０１ａと、この操作部アッセンブリ収容部３０１ａにおける後端から車外方向へほぼ直角をなすように延出し操作部アッセンブリ収容部３０１ａと連続する噛合部アッセンブリ収容部３０１ｂとを備える。
【００５４】
リリース部材３０２は、連結部３０２ａにアウトサイドレバー２０７の第１レバー２０７ａにおける車内側の端部２０７ａｃを連結され、アウトサイドレバー２０７と連動する。また、リリース部材３０２は、アンロック状態におけるインサイドハンドルの開操作により回転するインサイドレバー３１５と当接して連動する。
【００５５】
カムサイレンサー３０３は、上方側中央に形成された溝がウォームホイール３０９の車外側に形成され係合部（図示略）と係合する。
【００５６】
ロックレバー３０４は、車内外方向を向く軸筒３０４ａを、操作部アッセンブリ収容部３０１ａの側面に突設された車内側を向く支持軸３０１ａａに、車内側より嵌合することにより、操作部アッセンブリ収容部３０１ａ内に組み込まれている。ロックレバー３０４は、ターンオーバースプリング３２２により、ロック位置にあるときはロック位置の方向に、アンロック位置にあるときはアンロック位置の方向にそれぞれ付勢されている。
【００５７】
さらに、ロックレバー３０４は、軸筒３０４ａにスプリング３２３を挿通され、その上からリリース部材３０２が組み付けられる。その結果、リリース部材３０２は、スプリング３２３によりポール２０６との係合が解除される方向（図８において下方側）に付勢される。
【００５８】
また、ロックレバー３０４は、スライドレバー３０７やモータ３０８の動作により、リリース部材３０２がポール２０６と係合しないロック位置とリリース部材３０２がポール２０６と係合するアンロック位置とに切り替えられる。
【００５９】
キーアクセス３０６は、ドアのアウタパネルに設けられたキーシリンダ（図示略）のロックおよびアンロック操作により回転する。
【００６０】
スライドレバー３０７は、操作部アッセンブリ収容部３０１ａ内に車内側より組み込まれる。そして、スライドレバー３０７は、キーアクセス３０６に連動して上下方向に移動し、ロックレバー３０４をロック位置およびアンロック位置に切り替える。
【００６１】
モータ３０８は、スイッチプレート３１４の略中央部に形成された開口部３１４ａに車内側より組み込まれる。そして、モータ３０８は、回転軸に固着されたウォーム３０８ａがウォームホイール３０９と噛合して正逆回転し、ロックレバー３０４をロック位置およびアンロック位置に切り替える。
【００６２】
ウォームホイール３０９は、中心の軸孔３０９ａを、操作部アッセンブリ収容部３０１ａの中央部に突設された車内側を向く支持軸３０１ａｂに嵌合することにより、操作部アッセンブリ収容部３０１ａ内に車内側より組み込まれる。そして、ウォームホイール３０９は、外周に形成された歯がモータ３０８のウォーム３０８ａと噛合し、車外側に形成された係合部がカムサイレンサー３０３と噛合する。その結果、ウォームホイール３０９は、モータ３０８の回転によりロックレバー３０４をロック位置およびアンロック位置に切り替える。
【００６３】
インサイドレバー３１５は、上端部の軸孔３１５ａを、操作部アッセンブリ収容部３０１ａの後方側の端部の側面に突設された車内側を向きスプリング３２４を挿通された支持軸３０１ａｃに嵌合することにより、操作部アッセンブリ収容部３０１ａ内に車内側より組み込まれる。そして、インサイドレバー３１５は、スプリング３２４によりインサイドハンドルによる開操作を待機状態に戻す方向（図８において反時計回りの方向）に回転するように付勢される。インサイドレバー３１５は、アンロック状態にあるとき、インサイドハンドルの開操作によりドアを開扉可能とする。
【００６４】
キャンセルレバー３１６は、リリース部材３０２と係合する。キャンセルレバー３１６によって、ドアを開けた状態でロックノブをロック操作してロック状態にし、そのままの状態でドアを閉じると、ドアを閉じた時点でロック状態はキャンセルされてアンロック状態に切り替えられ、かつ、ドアを開けた状態でロックノブをロック操作してロック状態として、アウトサイドハンドルを開操作しながらドアを閉じた場合には、ロック状態はキャンセルされない。
【００６５】
つぎに、操作部アッセンブリ３００の動作を説明する。
【００６６】
はじめに、ドアがロック状態、すなわちロックレバー３０４がロック位置にある場合について説明する。図９は、図８に示す操作部アッセンブリのロック状態の動作を説明するための図である。図９は、ドアラッチ装置１００を紙面手前側である車内側から視た図である。
【００６７】
まず、図９に示すように、インサイドハンドルにドアの開操作が行われると、インサイドレバー３１５の係合部３１５ｂが矢印Ａ２１の方向に引っ張られる。すなわち、インサイドレバー３１５は、軸孔３１５ａを軸心として軸回りに回転する方向に力を加えられる。このとき、インサイドレバー３１５の係合部３１５ｃとロックレバー３０４の係合部３０４ｂとが当接し、インサイドレバー３１５は、回転しない。したがって、ドアの閉状態が維持される。
【００６８】
つぎに、アウトサイドハンドルにドアの開操作が行われると、アウトサイドレバー２０７の第２レバー２０７ｂに連動してアウトサイドレバー２０７の第１レバー２０７ａが矢印Ａ２２の方向に回転する。このとき、第１レバー２０７ａの端部２０７ａｃとリリース部材３０２の連結部３０２ａとが連結されているため、第１レバー２０７ａの回転にあわせてリリース部材３０２が連動する。ここで、ロック状態においてリリース部材３０２が矢印Ａ２３のように上方側に移動しても、リリース部材３０２の係合部３０２ｂは、ポール２０６のリリースレバー２０６ｃと当接せずに空振りするため、ドアの閉状態が維持される。
【００６９】
以上から、操作部アッセンブリ３００は、ロック状態において、インサイドハンドルまたはアウトサイドハンドルを開操作しても、ドアの閉状態が維持されるように動作する。
【００７０】
つぎに、ドアがアンロック状態、すなわちロックレバー３０４がアンロック位置にある場合について説明する。図１０は、図８に示す操作部アッセンブリのアンロック状態の動作を説明するための図である。図１０は、ドアラッチ装置１００の車内側を後方側から視た斜視図である。
【００７１】
まず、ドアのアンロック状態において、ロックレバー３０４は、矢印Ａ２４のようにロック位置から時計回りの方向に回転したアンロック位置に位置する。これと連動して、リリース部材３０２は、矢印Ａ２５のようにロック状態より後方側に位置している。
【００７２】
ここで、図１０に示すように、インサイドハンドルにドアの開操作が行われると、インサイドレバー３１５の係合部３１５ｂが矢印Ａ２６の方向に引っ張られる。すると、インサイドレバー３１５は、矢印Ａ２７のように軸孔３１５ａを軸心として軸回りに回転する。このとき、インサイドレバー３１５の係合部３１５ｄとリリース部材３０２の下方側の端部とが当接し、矢印Ａ２８のようにリリース部材３０２が上方側に移動する。さらに、アンロック状態では、リリース部材３０２の係合部３０２ｂとポール２０６のリリースレバー２０６ｃとが当接するため、矢印Ａ２９のようにポール２０６が回転する。その結果、ポール２０６とラッチ２０５との係合が解除され、矢印Ａ３０のようにラッチ２０５が回転し、ラッチ２０５とストライカとの噛合が解除される。そして、この状態からドアを車外方向に開扉操作するとドアが開状態となる。
【００７３】
つぎに、アウトサイドハンドルにドアの開操作が行われると、アウトサイドレバー２０７の第２レバー２０７ｂは、矢印Ａ３１の方向に引っ張られる。すると第２レバー２０７ｂと連動してアウトサイドレバー２０７の第１レバー２０７ａが矢印Ａ３２の方向に回転する。このとき、第１レバー２０７ａの端部２０７ａｃとリリース部材３０２の連結部３０２ａとが連結されているため、第１レバー２０７ａの回転にあわせて、矢印Ａ２８のようにリリース部材３０２が上方側に連動する。そして、リリース部材３０２の係合部３０２ｂは、ポール２０６のリリースレバー２０６ｃと当接するため、矢印Ａ２９のようにポール２０６が回転する。その結果、ポール２０６とラッチ２０５との係合が解除され、矢印Ａ３０のようにラッチ２０５が回転し、ラッチ２０５とストライカとの噛合が解除される。そして、この状態からドアを車外方向に開扉操作するとドアが開状態となる。
【００７４】
以上から、操作部アッセンブリ３００は、アンロック状態において、インサイドハンドルまたはアウトサイドハンドルを開操作すると、ドアを開状態とするように動作する。
【００７５】
つぎに、噛合部アッセンブリ２００を組み立てる工程を説明する。はじめに、カバープレート２０２の軸孔２０２ｂにラッチ軸２０４を挿通し、その状態でカバープレート２０２の前方側が上方を向くようにして自動組み立てライン等にセットする。その上から、ラッチ２０５を軸孔２０５ａがラッチ軸２０４に挿通するように重合する。さらにその上から、ボディ２０１を軸孔２０１ｄがラッチ軸２０４に挿通するように重合する。
【００７６】
つぎに、バンパラバー２０８をボディ２０１の前方側のバンパラバー組付孔２０１ｆに挿入する。さらに、スプリング２０９を、一方の端部２０９ａがボディ２０１の前方側の被掛止部２０１ｇ、他方の端部２０９ｂがラッチ２０５の係合部２０５ｂにそれぞれ掛止されるように組み付ける。
【００７７】
次いで、ポール２０６をボディ２０１の前方側のポール組付孔２０１ｅに挿入する。さらに、スプリング２１０を、一方の端部２１０ａがボディ２０１の被掛止部２０１ｈ、他方の端部２１０ｂがポール２０６の係合部２０６ｅにそれぞれ掛止されるように組み付ける。
【００７８】
図１１から図１３は、図２に示す噛合部アッセンブリの組立工程を説明するための図である。図１１に示すように、スプリング組付工程として、スプリング２１１をボディ２０１のスプリング収容部２０１ｃに組み付ける。このとき、スプリング２１１の端部２１１ａを被掛止部２０１ｈに掛止し、かつスプリング２１１の端部２１１ｂをボディ２０１の突部２０１ｉに当接した状態とする。
【００７９】
つぎに、図１２に示すように、レバー仮組工程として、第１レバー２０７ａの軸孔２０７ａａをボディ２０１の枢軸２０１ｂに挿通し、第１レバー２０７ａのボディ２０１側の面がボディ２０１の突部２０１ｉに当接した仮組状態とする。そして、レバー組付工程として、第１レバー２０７ａをボディ２０１側に押圧しながらスプリング２１１の付勢力に逆らう方向（図１２における矢印Ａ１４の方向）に回転させ、図５のような第１レバー２０７ａがスプリング２１１の端部２１１ｂとボディ２０１の突部２０１ｉとの間に狭入された状態とする。狭入された第１レバー２０７ａは、スプリング２１１の端部２１１ｂとボディ２０１の突部２０１ｉと当接して、スプリング２１１の端部２１１ｂにより解除位置から待機位置（図１２において時計回りの方向）に回転するように付勢される。
【００８０】
さらに、図７のように第１レバー２０７ａの前方側に第２レバー２０７ｂが重合するように、第２レバー２０７ｂの軸孔２０７ｂａをボディ２０１の枢軸２０１ｂに挿通する。
【００８１】
そして、バックプレート２０３の軸孔２０３ｂにラッチ軸２０４の小径軸部２０４ａを回転不能に圧入する。このとき、バックプレート２０３のねじ孔２０３ｄをカバープレート２０２の貫通孔２０２ｄおよびボディ２０１の貫通孔２０１ｊと重なるように重合し、さらに、図１３に示すように、バックプレート２０３に形成された十字孔２０３ａをボディ２０１の枢軸２０１ｂの先端に形成された十字突起に嵌合させる。その後、ボルトＶ１をバックプレート２０３のねじ孔２０３ｄに螺合することにより、噛合部アッセンブリ２００が組み立てられる。
【００８２】
ここで、従来アウトサイドレバーは、操作部アッセンブリのケーシングにねじ止めにより回転可能に固定されていた。すなわち、アウトサイドレバーを組み付けるためにねじ止めする工程が必要であった。
【００８３】
しかしながら、ドアラッチ装置１００において、アウトサイドレバー２０７は、噛合部アッセンブリ２００のボディ２０１の枢軸２０１ｂに、第１レバー２０７ａの軸孔２０７ａａと第２レバー２０７ｂの軸孔２０７ｂａとを挿通することにより組み付けられている。その結果、アウトサイドレバー２０７は、噛合部アッセンブリ２００と一体化されており、アウトサイドレバー２０７を組み付けるために別途ねじ止め工程を行う必要がない。したがって、ドアラッチ装置１００は、組立効率が向上した車両用ドアラッチ装置である。
【００８４】
さらに、ドアラッチ装置１００は、ねじ止めする必要がないので、ねじを用意する必要がなく、部品点数を削減できるという効果も奏する。
【００８５】
また、噛合部アッセンブリ２００は、ボディ２０１を介装したカバープレート２０２とバックプレート２０３とを、ラッチ軸２０４とボルトＶ１とにより固定して一体化されている。そして、ボディ２０１の十字突起とバックプレート２０３の十字孔２０３ａとが嵌合され、相互に固定されている。その結果、アウトサイドレバー２０７は、噛合部アッセンブリ２００に回転可能かつ脱落しないように固定される。したがって、ドアラッチ装置１００は、ねじ止めする工程が必要なく、組立効率が向上した車両用ドアラッチ装置である。
【００８６】
また、通常、軸を軸孔に固定するには、軸の先端をカシメて固定する必要がある。カシメる工程として、たとえば回転カシメが用いられるが、この工程は短くても１秒弱を要し、他の工程と比較して時間のかかる工程である。そのため、全体で数秒程度のドアラッチ装置の組立工程において、このようなカシメる工程の回数が多いと、組立効率が低下する。
【００８７】
しかしながら、ドアラッチ装置１００は、上述の構成によりアウトサイドレバー２０７を組み付ける際にカシメる工程を必要としない。したがって、ドアラッチ装置１００は、組立効率が向上した車両用ドアラッチ装置である。
【００８８】
また、上述のように従来アウトサイドレバーを操作部アッセンブリ側に組み付けていたため、アウトサイドレバーと噛合部アッセンブリとの間に、アウトサイドレバーを付勢するためのスプリングを配置する必要があった。その結果、スプリングの組付性が悪く、組み立て作業時にスプリングが脱落する場合があった。さらに、アウトサイドレバーと噛合部アッセンブリとの間にスプリングを配置するため、ドアラッチ装置が大型化するという課題があった。
【００８９】
しかしながら、ドアラッチ装置１００において、スプリング２１１は、ボディ２０１のスプリング収容部２０１ｃに収容され、その上に第１レバー２０７ａ、第２レバー２０７ｂを介してバックプレート２０３が固定される。その結果、スプリング２１１は、ボディ２０１とバックプレート２０３とに覆われた空間に収容されて脱落が防止されるので、ドアラッチ装置１００は、組付性の向上した車両用ドアラッチ装置である。
【００９０】
さらに、スプリング２１１は、ボディ２０１とバックプレート２０３との内部に収容されるため、アウトサイドレバー２０７と噛合部アッセンブリ２００との間にスプリング２１１を配置するスペースを必要としない。したがって、ドアラッチ装置１００は、小型化した車両用ドアラッチ装置である。
【００９１】
また、通常２つの部材の間に他の部材を挟入する工程は、少なくとも２つの部材に同時に力を加える複雑な工程を行う必要がある。しかしながら、ドアラッチ装置１００の組立工程は、スプリング組付工程と、レバー仮組工程と、レバー組付工程とを有し、これらの工程は、スプリング２１１または第１レバー２０７ａのいずれか一方の部材に力を加える工程である。その結果、ドアラッチ装置１００は、複雑な工程を必要とせず、組付性の向上した車両用ドアラッチ装置である。
【００９２】
以上のように、本実施の形態に係るドアラッチ装置１００は、組立効率が向上した車両用ドアラッチ装置であり、ドアラッチ装置１００の組立方法は、組立効率が向上した車両用ドアラッチ装置の組立方法である。
【００９３】
なお、上記実施の形態において、車両用ドアラッチ装置がドア側に設けられており、ストライカが車体側に設けられているものとして説明したが、本発明はこれに限られない。すなわち、本発明は、車両用ドアラッチ装置が車体側に設けられており、ストライカがドア側に設けられている場合にも適応可能である。
【００９４】
また、上記実施の形態において、車両用ドアラッチ装置は、自動車のフロントサイドドアに取り付けられるものとして説明したが、本発明の車両用ドアラッチ装置は、リアドアにも取り付け可能であることは勿論である。
【００９５】
また、上記実施の形態において、車両用ドアラッチ装置は、自動車の右側のドアに取り付けられるものとして説明したが、本発明の車両用ドアラッチ装置を自動車の左側のドアに取り付ける場合には、車両前後方向に沿った平面に対して左右対称に構成すればよい。
【００９６】
また、上記実施の形態において、ボディの枢軸の先端は十字突起であり、バックプレートの十字孔と嵌合するものとして説明したが、本発明はこれに限られない。すなわち、ボディの枢軸の先端の形状とバックプレートの軸孔の形状とが一致し、それらが嵌合されてボディとバックプレートとの位置が相互に固定されればよく、たとえば多角形などであってよい。
【００９７】
また、上記実施の形態により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００９８】
１００  ドアラッチ装置
２００  噛合部アッセンブリ
２０１  ボディ
２０１ａ  ストライカ進入溝
２０１ｂ  枢軸
２０１ｃ  スプリング収容部
２０１ｄ、２０２ｂ、２０２ｃ、２０３ｂ、２０３ｃ、２０５ａ、２０７ａａ、２０７ｂａ、３０９ａ、３１５ａ  軸孔
２０１ｅ  ポール組付孔
２０１ｆ  バンパラバー組付孔
２０１ｇ、２０１ｈ  被掛止部
２０１ｉ  突部
２０１ｊ、２０２ｄ  貫通孔
２０２  カバープレート
２０２ａ  切欠部
２０２ｅ、２０２ｆ、２０３ｄ  ねじ孔
２０３  バックプレート
２０３ａ  十字孔
２０４  ラッチ軸
２０４ａ  小径軸部
２０５  ラッチ
２０５ｂ、２０５ｃ、２０６ｄ、２０６ｅ、２０７ａｂ、２０７ａｄ、２０７ｂｂ、３０２ｂ、３０４ｂ、３１５ｂ、３１５ｃ、３１５ｄ  係合部
２０６  ポール
２０６ａ、２０６ｂ  軸部
２０６ｃ  リリースレバー
２０７  アウトサイドレバー
２０７ａ  第１レバー
２０７ａｃ、２０９ａ、２０９ｂ、２１０ａ、２１０ｂ、２１１ａ、２１１ｂ  端部
２０７ｂ  第２レバー
２０８  バンパラバー
２０９、２１０、２１１、３２３、３２４  スプリング
３００  操作部アッセンブリ
３０１  ケーシング
３０１ａ  操作部アッセンブリ収容部
３０１ａａ、３０１ａｂ、３０１ａｃ  支持軸
３０１ｂ  噛合部アッセンブリ収容部
３０２  リリース部材
３０２ａ  連結部
３０３  カムサイレンサー
３０４  ロックレバー
３０４ａ  軸筒
３０５  リング
３０６  キーアクセス
３０７  スライドレバー
３０８  モータ
３０８ａ  ウォーム
３０９  ウォームホイール
３１０  カプラ
３１１  半ドア検出スイッチ
３１２  ロック／アンロック検出スイッチ
３１３  キースイッチ
３１４  スイッチプレート
３１４ａ  開口部
３１５  インサイドレバー
３１６  キャンセルレバー
３１７  ねじ
３１８  カバー部材
３１９  カプラクッション
３２０  防水カバー
３２１  防水シール
３２２  ターンオーバースプリング
Ｖ１、Ｖ２、Ｖ３  ボルト
Ａ１１、Ａ１２、Ａ１３、Ａ１４、Ａ２１、Ａ２２、Ａ２３、Ａ２４、Ａ２５、Ａ２６、Ａ２７、Ａ２８、Ａ２９、Ａ３０、Ａ３１、Ａ３２  矢印
Ｓ  ストライカ
【図１】
0006535919.tif 000002
【図２】
0006535919.tif 000003
【図３】
0006535919.tif 000004
【図４】
0006535919.tif 000005
【図５】
0006535919.tif 000006
【図６】
0006535919.tif 000007
【図７】
0006535919.tif 000008
【図８】
0006535919.tif 000009
【図９】
0006535919.tif 000010
【図１０】
0006535919.tif 000011
【図１１】
0006535919.tif 000012
【図１２】
0006535919.tif 000013
【図１３】
0006535919.tif 000014